(57)【要約】【課題】マスクその他のものを保定するのに、二重の保定効果を有し、後付け可能で、安全な装置であって、より高い安全性を提供し、既存の装置に後付け可能な保定装置を提供することである。【解決手段】バンド・タイプの固定方法を使用して、密閉されてマスクに確実に装着されるフード及び／又はフェイスシールを有するフェイスマスクのフード、フェイスシール及び装着バンドの保定装置を提供する。保定装置は、フード、フェイスシール及び装着バンドからマスクが外れないようにする機構を含んでいる。【選択図】図１
2007533529.tif 000002
【特許請求の範囲】
【請求項１】
マスクの保定装置であって、
マスクと、
ユーザの頭を覆うように構成されたフードと、
前記フードと一体となり、前記マスクに連結して前記フードと前記フェイスマスクとの間にシールを形成するように構成された装着バンドと、
前記マスクと前記装着バンドに連結するように構成されるとともに、前記マスクをユーザの顔に対して保持するように構成されたヘッドハーネスと
を有することを特徴とする保定装置。
【請求項２】
前記マスク及び前記装着バンドに連結するように構成された少なくとも１つのブラケットを更に含むことを特徴とする請求項１に記載の保定装置。
【請求項３】
前記ブラケットは、上部ブラケットを含むことを特徴とする請求項２に記載の保定装置。
【請求項４】
前記ブラケットは、側部ブラケットを含むことを特徴とする請求項２に記載の保定装置。
【請求項５】
前記装着バンドは、前記ハーネス及び前記ブラケットに連結するように構成された相隔たる複数の連結構造部を含むことを特徴とする請求項２に記載の保定装置。
【請求項６】
前記フードは、前記装着バンドを受容して確保するように構成されたことを特徴とする請求項１に記載の保定装置。
【請求項７】
前記フードは、前記装着バンドを受容して確保する環状構造をなして当該フード自体に連結され、前記装着バンドの連結構造部が通過可能な開口部を備えたことを特徴とする請求項５に記載の保定装置。
【請求項８】
前記ブラケットは、前記装着バンドの連結構造部に連結するように構成されたことを特徴とする請求項５に記載の保定装置。
【請求項９】
前記ブラケットは、前記ハーネスに連結するように構成された連結構造部を含むことを特徴とする請求項８に記載の保定装置。
【請求項１０】
前記ハーネスは、
前記フードの周囲に延在するように構成された複数のフランジと、
前記各フランジに形成されるとともに前記装着バンドの連結構造部及び前記ブラケットの連結構造部に連結するように構成された複数の開口部と
を含むことを特徴とする請求項９に記載の保定装置。
【請求項１１】
前記開口部のうち２つ以上が前記各連結構造部に連結することを特徴とする請求項１０に記載の保定装置。
【請求項１２】
保定装置であって、
マスクと、
ユーザの頭を覆うように構成されたフードと、
前記フードと一体となり、前記マスクに連結して当該フードと当該マスクとの間にシールを形成するように構成された装着バンドと、
前記マスク及び前記装着バンドに連結するように構成されたハーネスと、
前記マスク及び前記装着バンドに連結するように構成された少なくとも１つのブラケットと
を有することを特徴とする保定装置。
【請求項１３】
前記装着バンドは、前記ハーネス及び前記ブラケットに連結するように構成された少なくとも１つの連結構造部を含むことを特徴とする請求項１２に記載の保定装置。
【請求項１４】
前記ブラケットは、前記装着バンドの連結構造部に連結するように構成されたことを特徴とする請求項１３に記載の保定装置。
【請求項１５】
前記フードは、前記装着バンドを受容して確保する環状構造をなして当該フード自体に連結され、前記装着バンドの連結構造部が通過可能な開口部を備えたことを特徴とする請求項１３に記載の保定装置。
【請求項１６】
前記フードは、前記装着バンドを受容して確保する環状構造をなして当該フード自体に連結されたことを特徴とする請求項１２に記載の保定装置。
【請求項１７】
前記装着バンドは、前記ハーネス及び前記ブラケットに連結するように構成された相隔たる複数の連結構造部を含むことを特徴とする請求項１２に記載の保定装置。
【請求項１８】
前記ブラケットは、前記装着バンドの連結構造部に連結するように構成されたことを特徴とする請求項１２に記載の保定装置。
【請求項１９】
前記ブラケットは、前記ハーネスに連結するように構成された連結構造部を含むことを特徴とする請求項１２に記載の保定装置。
【請求項２０】
前記ハーネスは、
前記フードの周囲に延在するように構成された複数のフランジと、
前記各フランジに形成されるとともに前記装着バンドの連結構造部及び前記ブラケットの連結構造部に連結するように構成された複数の開口部と
を含むことを特徴とする請求項１２に記載の保定装置。
【請求項２１】
保定装置であって、
マスクと、
ユーザの頭を覆うように構成されたフードと、
前記マスク及び前記フードに連結して当該フードと当該マスクとの間にシールを形成するように構成された装着バンドと、
前記マスク及び前記装着バンドに連結するように構成されたハーネスと、
前記マスク及び前記装着バンドに連結するように構成された少なくとも１つのブラケットと
を有することを特徴とする保定装置。
【請求項２２】
前記フードは、前記装着バンドを受容して確保するように構成されたことを特徴とする請求項２１に記載の保定装置。
【請求項２３】
前記フードは、前記装着バンドを受容して確保する環状構造をなして当該フード自体に連結されたことを特徴とする請求項２１に記載の保定装置。
【請求項２４】
前記装着バンドは、前記ハーネス及び前記ブラケットに連結するように構成された相隔たる複数の連結構造部を含むことを特徴とする請求項２１に記載の保定装置。
【請求項２５】
前記ブラケットは、前記装着バンドの連結構造部に連結するように構成されたことを特徴とする請求項２１に記載の保定装置。
【請求項２６】
前記ブラケットは、前記ハーネスに連結するように構成された連結構造部を含むことを特徴とする請求項２１に記載の保定装置。
【請求項２７】
前記ハーネスは、
前記フードの周囲に延在するように構成された複数のフランジと、
前記各フランジに形成されるとともに前記装着バンドの連結構造部及び前記ブラケットの連結構造部に連結するように構成された複数の開口部と
を含むことを特徴とする請求項２１に記載の保定装置。
【請求項２８】
マスクの保定装置であって、
マスクと、
前記マスクに連結するように構成された相隔たる複数の連結構造部を備えた装着バンドと、
ユーザの頭を覆うとともに前記装着バンドを受容して確保するように構成されたフードと、
複数のフランジ及び複数の開口部を備え、前記マスク及び前記装着バンドに連結するように構成されたハーネスと、
前記マスク及び前記装着バンドに連結するように構成された少なくとも１つのブラケットと
を有することを特徴とする保定装置。
【請求項２９】
前記フードは、前記装着バンドを受容して確保する環状構造をなして当該フード自体に連結され、前記装着バンドの連結構造部が通過可能な開口部を備えたことを特徴とする請求項２８に記載の保定装置。
【請求項３０】
前記ブラケットは、前記装着バンドの連結構造部に連結するように構成されたことを特徴とする請求項２８に記載の保定装置。
【請求項３１】
前記ブラケットは、前記ハーネスに連結するように構成された連結構造部を含むことを特徴とする請求項２８に記載の保定装置。
【請求項３２】
保定装置であって、
マスクと、
ユーザの頭を覆うように構成されたフードと、
前記フードと一体となり、前記マスクに連結するように構成された装着バントと、
複数のフランジ及び複数の開口部を備え、前記装着バンドに連結するように構成されたハーネスと、
前記マスク及び前記装着バンドに連結するように構成された少なくとも１つのブラケットと
を有し、
前記装着バンドは、前記ハーネス及び前記ブラケットに連結するように構成された少なくとも１つの連結構造部を含むことを特徴とする保定装置。
【請求項３３】
前記フードは、前記装着バンドを受容して確保するように構成されたことを特徴とする請求項３２に記載の保定装置。
【請求項３４】
前記フードは、前記装着バンドを受容して確保する環状構造をなして当該フード自体に連結されたことを特徴とする請求項３２に記載の保定装置。
【請求項３５】
前記ブラケットは、前記ハーネスに連結するように構成された連結構造部を含むことを特徴とする請求項２８に記載の保定装置。
【請求項３６】
マスクとフードとの間に気密性及び／又は防水性のシールを形成する方法であって、
マスク及びブラケットを提供するステップと、
装着バンドが一体となったフードを提供するステップと、
前記ブラケット及び前記装着バンドにより前記フードを前記マスクに連結するステップと
を有することを特徴とする方法。
【発明の詳細な説明】
【技術分野】
【０００１】
本発明は潜水器具に関し、より詳しくは、バンドを用いた固定方法により、マスクがシール（密封）されて確実に装着されるフード及び／又はフェイスシールを有するフェイスマスクのフード、フェイスシール及び装着バンドの保定装置に関する。保定装置には、マスクがフード、フェイスシール及び装着バンドから外れないようにする機構が含まれている。
【背景技術】
【０００２】
個人用保護マスクには多くの種類のもの（ダイビング用、消防用、採鉱用、限定空間用等）があり、これらはフード及び／又はフェイスシール材をマスクに確実に装着し、及び密封するために、装着用のバンド型クランプを使用する。
【０００３】
これらマスクの装着用バンドは、ホースクランプ型に設計されている。これらホースクランプ型は、端部を互いに連結するように構成されたロングストラップタイプであって、フードをマスクに調整又は締め付けるのに利用される。装着バンドの締め付けによる作用は、フード及び／又はフェイスシールをマスクに固定し、シールすることである。
【０００４】
マスクはバックエッジの周りに溝又は装着表面を有しており、これにより、フード及び／又はフェイスシールはマスクへ装着するために嵌装され及び／又は嵌入される。そして装着バンドは、フード及び／又はフェイスシールに適合してマスクの溝に嵌入される。溝全体が装着されて締め付けられると、全てのものが適所に保定される。しかし、装着バンドをマスクに物理的に或いは機械的に接続して固定するものは何もなく、単にフード及び／又はフェイスシールと装着バンドとが溝に保定され、フード及び／又はフェイスシールをマスクに密閉する装着バンドの力によって固定されているだけである。
【０００５】
装着バンドには、ヘッドハーネスの装着用スタッド又はスタッドに取付けられるバックルを備えているものがある。装着バンドを使用するマスクが的確に保持されず、適切に調節されない場合には、装着バンドが緩くなる等の問題が生じる。バンドが緩くなると、フード、フェイスシール又は装着バンド等の組み合わせから、或いはそれらの全てから一度にマスクが外れてしまう可能性がある。
【０００６】
人員保護マスク用に現在生産されているフード及び／又はフェイスシールは、フード及び／又はフェイスシールを装着するための設計に装着バンドを用いており、フード及び／又はフェイスシールをマスクへ取付け、及び／又は、密閉するために、平面装着するフラップタイプのエリアを有している。フード及び／又はフェイスシールがマスクに取付けられると、フラップ部分は、フード及び／又はフェイスシールが固定されて密閉されるマスクと装着バンドとの間で固定される。
【０００７】
フード及び／又はフェイスシールには、いくつもの異なる種類のものがある。単なるフードのもの、或いは単なるフェイスシールのものもある。フードの内部にフェイスシールを接着したものもある。フェイスシールを重ね、次にマスク上の装着バンドの下にフードを重ねるものもある。
【０００８】
装着バンドが嵌合し、又は嵌入するように、成型又は創作された嵌合溝を備えたフード及び／又はフェイスシールもある。装着フラップが装着バンドとマスクとの間から引き出され又は取り出されるのを防ぐのために、装着フラップの端部にバンプ又は突出部を備えたものもある。装着バンドが適切に保持されない場合、調節外である場合、或いは、突発故障（ボルトが折れたり、ナットが擦り減ったときなど）がある場合には、嵌合溝及びフラップの端部にあるバンプ又は突出部の双方とも機能しなくなる。
【０００９】
そこで、マスクその他のものを保定するのに、二重の保定効果を有し（redundant）、後付け可能（retrofitable）で、安全な装置を提供し、より高い安全性を提供し、既存の装置に後付け可能な保定装置が必要とされている。
【発明の開示】
【課題を解決するための手段】
【００１０】
本実施形態はマスク保定装置を含み、マスク保定装置は、マスクと、ユーザの頭を覆うために構成されたフードと、フードと一体となり、マスクに連結してフードとマスクとの間でシールを形成するように構成された装着バンドと、マスクと装着バンドとに連結するように構成されたハーネスとを含んでいる。
【発明を実施するための最良の形態】
【００１１】
図面について後述する詳細な説明は、実施形態の説明として利用され、本実施形態が構成及び／又は利用される唯一の形式を表わすものとして用いられるものではない。詳細な説明には更に、図示した実施形態について本発明を構成し、実施するための機能及び手順について記載する。しかしながら、異なる実施形態によって同じ又は同等の機能及び手順を達成することができ、これらも本発明の思想及び範囲に包含されることは理解されるであろう。
【００１２】
本実施形態は、装着バンドに確実に連結することができるフード及び／又はフェイスシールの装着フラップ・エリアを備えたフード及び／又はフェイスシールを含む。フード及び／又はフェイスシールの装着フラップ・エリアの先端は、延伸され、折り返され、（縫い付けられ、貼り付けられ、成型されるなどして）フラップ・エリア自体に着接され、装着バンドが受容されるように形成されるのに十分な大きさのチューブ状の強い中空部分を創出している。チューブ状の中空スペースには、開口部又は開口窓が形成され、開口部は、装着バンドが中空部分へ潜り込み、或いは送り込まれるのを可能とし、これにより、中空部内で装着バンドをフードに連結する。その後、ねじ又はその他の連結装置及び構造体が装着バンドへ取付けられる。この構造により、フード及び／又はフェイスシールが装着バンドから外れる可能性がなくなる。更に中空部分に隣接する追加の孔もあり、追加の孔は、ユーザが装着バンドに取付けられたヘッドハーネス、連結構造部又はバックルに接触可能としている。
【００１３】
装着バンドに連結するフード及び／又はフェイスシールが、一旦マスクに適切に適合して取付けられると、装着バンドはマスクに機械的に連結される。多くの異なる方法によって連結することができ、これらの方法には、連結プレート、連結ワイヤ若しくは連結ケーブルによる連結、又は、装着バンド自体にドリル穿孔し、ねじ、ボルト／ナットを用いた連結が含まれる。製造の容易性、メンテナンスの少なさ及びマスクへのより良い密封処理の理由により、連結プレートを用いる設計が好ましい。
【００１４】
連結プレートの一実施形態では、既存の装着バンド及びマスクへの後付け性（retrofitability）が考慮されている。この連結プレートは、１端に細長いスロットを備えた開口部又は孔を有している。装着バンド上のヘッドハーネス装着用スタッドの頭部、又は連結構造部が孔に滑って入る。その後連結プレートは、ヘッドハーネス装着用スタッドの頭部と装着バンド自体との間にスロットが引っ掛かるように移動される。連結プレートはその後、連結プレートの別の小さな孔を用いて、マスクに孔を開けることによって、或いは連結プレートをマスクに機械的に固定するねじ若しくはボルト／ナット又はその他の連結構造を使用することによって、所望の通りマスクに確実に連結される。
【００１５】
連結プレートの実施形態は、既存の装着バンドへの後付け性を考慮しており、取付けられたヘッドハーネス装着用スタッド又はヘッドハーネス調節バックル、或いは連結プレートの一体部品を提供する。連結プレートは、ヘッドハーネスによって生成される引張り力が装着バンドではなく連結プレートに分配されることを可能とする。
【００１６】
一実施形態による潜水マスク保定装置が装置１０として図１に示されている。図lは一実施形態による装置の分解組立図である。装置１０は、フード１２と、マスク１４と、フード１２をマスク１４に連結するために形成されたバンド１６とを含んでいる。装置１０は、フード１２及び／又はマスク１４とユーザとの間だけでなく、マスク１４とフード１２との間でも気密性及び／又は防水性のシールが生成されて保持されるように、バンド１６に連結するように形成されたハーネス１８を更に含んでいる。
【００１７】
装置１０は、フード１２と同様にマスク１４及びバンド１６に連結するように形成された上部ブラケット２０を更に含んでいる。装置１０は、マスク１４と、バンド１６及びフード１２へ連結するように形成された１つ以上の側部ブラケット２２とを更に含んでいる。この構成において、マスク１４及びフード１２は互いに確実に連結され、ユーザが水中その他で装置を使用しているときに、空気又は水が入らないように互いに確実に連結されている。
【００１８】
更に、バンド１６はフード１２に連結されてフード１２と一体となっており、バンド１６が緩んでも、バンド１６はフード１２から外れないようにされている。更にバンド１６は、フード１２がマスク１４から外れないようにしている。フード１２はバンド１６を受容するように環状の構造に形成され、開口部４０を含んでおり、バンド１６の連結構造部３０が開口部４０から延出できるようになっている。フード１２は、フードをフード自体へ固定する継ぎ目４６を更に含んでいる。この構成によりバンド１６はフード１２へ固定される。異なる連結構造部と同様に、所望の通りその他のフード及びバンドの構造を利用できることは理解されるであろう。
【００１９】
バンド１６は、ハーネス１８及びブラケット２０，２２に連結するように構成された連結構造部３０を含んでおり、フード１２とマスク１４との間に気密性及び／又は防水性のシールが維持される。
【００２０】
フード１２は、ユーザの頭を囲むように構成されたダイビングフードである。更に、フード１２は、潜水、消防若しくはその他の活動に使用されるネオプレン、又はその他の材料で作られている。フード１２は、ユーザの顔と接触するように構成されたフェイスシール３４を更に含んでおり、装置が利用されると、シール３４とユーザの顔との間に気密性及び／又は防水性のシールが維持され、水中、火の近く又は代替呼吸装置が必要とされるようなその他の状況で、呼吸をするために代替呼吸装置が利用される。所望のその他の構成が利用され得ることは理解されるであろう。
【００２１】
また、フード１２には、連結構造部３０を延出可能とする開口部４０が形成されている。更に、フード１２はバンド１６に連結されるように形成され、バンド１６とフード１２とは互いに一体となる。この連結は縫い合わせたフード１２のループを介して行われる。バンド１６は、ループによって生成された範囲に留まり、そこから選択的に取り除くことも可能である。この方法では、バンド１６はフードから取り除かれ、新たなものが必要とされ又は所望される場合には、バンドは交換される。
【００２２】
バンド１６は一般的には、連結して締め付けるホースクランプ型の構造であり、フード１２とマスク１４との間に気密性及び／又は防水性のシールが生成される。他の連結構造やバンド１６の設計を所望の通り利用できることは理解されるであろう。バンド１６は一般的には金属で作られているが、プラスチック配合物、ゴム化合物、金属化合物及びそれらの組み合わせ等のその他の材料で作られてもよい。
【００２３】
マスク１４は潜水、消防、又は気密性及び／又は防水性のシールが必要な活動、又は、代替呼吸装置が必須であり、要望され、若しくは必要とされるその他の活動、又はその他の活動に利用されるマスクである。
【００２４】
上部ブラケット２０は、ねじ、ボルト、リベット若しくは接着剤によりマスク１４に連結され、又はマスク１４に一体的に作られてもよく、又は、所望のその他の連結構造としてもよい。上部ブラケット２０は、バンド１６をマスク１４及び上部ブラケット２０に固定するために、連結構造部３０が延出できるように形成された開口部５０を含んでいる。上部ブラケット２０は、金属、プラスチック配合物、ゴム化合物及びそれらの組み合わせ、又はその他の材料で作られている。
【００２５】
側部ブラケット２２は、連結構造部３０によりマスク１４及びバンド１６に連結されるように形成されている。側部ブラケット２２は一般的に、側部ブラケット２２及びマスク１４がバンド１６に確実に連結されるように、開口部５２を含んでおり、連結構造部３０は開口部５２から延出して、かつ別の位置へ滑って入ることが可能とされている。更に、バンド１６はフード１２と一体に連結されるので、フード１２は気密性及び／又は防水性の方法でマスク１４に連結される。側部ブラケット２２は、ねじ、ボルト、リベット、接着剤又はその他の連結構造により所望の通りマスク１４に連結されてもよい。マスク１４は、一般的には、消防、潜水或いはその他の活動に使用されるマスクである。
【００２６】
ハーネス１８は連結構造部３０に連結されるように形成されており、フェイスシール３４とユーザの顔との間に気密性及び／又は防水性のシールが維持され、更にマスク１４とフード１２との間に気密性及び／又は防水性のシールが維持されるようになっている。ハーネス１８はフランジ７０及び開口部７２を含んでいる。フランジ７０はユーザの頭の周りに延在するように形成されている。しかし、所望の通りその他の構造を利用してもよい。開口部７２は１つの連結構造部３０に連結されるように形成されている。２以上の開口部が１つの連結構造部３０へ連結されてもよく、より安全であり、ハーネス１８が連結構造部３０から外れ難くなる。ハーネス１８は、一般的にはゴム及び／又はプラスチック配合物で作られている。しかしながら、所望のその他の材料を利用してもよい。
【００２７】
図２は、装置の一実施形態の拡大図を示す。装置はフード１２と、マスク１４と、バンド１６とを有している。装置は上部ブラケット２０を更に備え、また、バンド１６は連結構造部３０を備えている。本実施形態では、フード１２はバンド１６を受容するように形成され、連結構造部３０はフード１２に設けられた開口部を通って延出し、上部ブラケット２０は連結構造部３０に連結されている。図示するように、上部ブラケット２０は更に、ナットとボルトによりマスク１４に連結されている。しかし、所望のその他の連結構造を利用してもよく、例えば、ねじ、リベット、接着剤及びその他同等のものを含み、これらに限定されるものではない。この方法では、上部ブラケット２０はマスク１４及びバンド１６に連結され、その結果、連結構造部３０を介してフード１２に連結され、バンド１６がフード１２とマスク１４との間に圧縮継手を創出するのに十分な程きつく締め付けられると、フード１２とマスク１４との間に気密性及び／又は防水性のシールが創出される。
【００２８】
図３は、同様にフード１２と、マスク１４と、バンド１６との他に、連結構造部３０を更に有する一実施形態を示す。この装置は、マスク１４に連結されるように形成された上部ブラケット６０の他に連結構造部３２を更に含んでいる。更に、上部ブラケット６０は、マスク１４を確実にフード１２に連結し、ユーザとフェイスシールとの間と同様に、フード１２とマスク１４との間に気密性及び／又は防水性のシールを創出するために、ハーネス１８のフランジ７０及び開口部７２に連結されるように形成された連結構造部３２を含んでいる。連結構造部３０は、フード１２をマスク１４に確実に連結し、かつ装置をユーザに確実に連結するために、ハーネス１８に連結されるように形成されている。
【００２９】
図４ａは、一実施形態によるフード１２に示す。フード１２は、フード１２がフード１２自体に折り重なって固定されるときに創出されるスペースに、バンド１６が挿入されるように形成された開口部４０を備えている。更に開口部４０は、装置のマスク及びハーネスへの連結を可能とするために、連結構造部がそこから延出できるように形成されている。フード１２は更に継ぎ目４６を含んでおり、継目４６は装置のバンドを確実に受容するエリアを確保するために形成されている。継ぎ目４６は縫って形成されるが、所望の通り、接着剤やその他の連結構造部を用いてもよい。更に、フード１２はバンドを受容する範囲を創出するために折り重なるように示されているが、所望の通り、とりわけフード１２に連結されるその他の装置のような他の構造を利用してもよいことは理解されるであろう。
【００３０】
図４ｂは、ユーザ３８を含む一実施形態を示す。ユーザ３８の顔は、一般的にはシール３４に隣接し、シール３４とユーザ３８との間に気密性及び／又は防水性のシールが生成される。フード１２はフェイスシール３４を含んでいる。しかしながら、フェイスシール３４は、マスク、その他を含む装置の他の部分に所望する通り連結されてもよいことは理解されるであろう。この場合も、フード１２は開口部４０を含み、開口部４０は、ハーネスが受容されるようにされるとともに、連結構造部が開口部から延出して、ハーネス１８及びフード１２だけでなくマスク１４がバンド１６へ連結できるようにする開口部４０を備えている。
【００３１】
これらの構成により、ハーネスの力は、装着バンド以外の他の部分にも分配される。これにより装置の安全性が高められ、バンドの交換までの期間を長くすることが可能である。
【００３２】
終わりに、ここに記載された実施形態は、本発明の思想を例示したものであることは理解されるであろう。本発明の範囲内において他の修正を行うことも可能である。このように、限定としてではなく例としてここに教示されたものに従って代替的構成を用いてもよい。従って、図面及び明細書は例示であって、本発明の思想の制限となることを意図するものではない。
【図面の簡単な説明】
【００３３】
【図１】一実施例による保定装置の斜視図である。
【図２】一実施例による装置の一部の拡大図である。
【図３】一実施例による装置の一部の拡大図である。
【図４Ａ】一実施例による装置の一部の斜視図である。
【図４Ｂ】一実施例による装置の一部の斜視図である。
【図１】
2007533529.tif 000003
【図２】
2007533529.tif 000004
【図３】
2007533529.tif 000005
【図４Ａ】
2007533529.tif 000006
【図４Ｂ】
2007533529.tif 000007
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
フェイスマスクの保定装置であって、
フェイスマスクと、
ヘッドカバーとして構成されたフードと、
前記フードと一体となり、前記フェイスマスクに連結して当該フードと当該フェイスマスクとの間にシールを形成するように構成された装着バンドと、
前記フェイスマスクをユーザの顔に対して保持するように構成されたヘッドハーネスと、
前記フェイスマスクを前記装着バンドに連結するように構成された少なくとも１つのブラケットと
を有し、
前記装着バンドは、前記ヘッドハーネス及び前記ブラケットに連結するように構成された相隔たる複数の連結構造部を含み、
前記ブラケットは、前記装着バンドの連結構造部に連結するように構成され、
前記ブラケットは、前記ヘッドハーネスに連結するように構成された連結構造部を含み、
前記ヘッドハーネスは、前記フードの周囲に延在するように構成された複数のフランジと、当該各フランジに形成されるとともに前記装着バンドの連結構造部及び前記ブラケットの連結構造部に連結するように構成された複数の開口部とを含むことを特徴とする保定装置。
【請求項２】
フェイスマスクの保定装置であって、
フェイスマスクと、
ヘッドカバーとして構成されたフードと、
前記フードと一体となり、前記フェイスマスクに連結して当該フードと当該フェイスマスクとの間にシールを形成するように構成された装着バンドと、
前記フェイスマスクをユーザの顔に対して保持するように構成されたヘッドハーネスと、
前記フェイスマスクを前記装着バンドに連結するように構成された少なくとも１つのブラケットと
を有し、
前記装着バンドは、前記ヘッドハーネス及び前記ブラケットに連結するように構成された相隔たる複数の連結構造部を含み、
前記ブラケットは、前記装着バンドの連結構造部に連結するように構成され、
前記ブラケットは、前記ヘッドハーネスに連結するように構成された連結構造部を含み、
前記ヘッドハーネスは、前記フードの周囲に延在するように構成された複数のフランジと、当該各フランジに形成されるとともに前記装着バンドの連結構造部及び前記ブラケットの連結構造部に連結するように構成された複数の開口部とを含み、当該開口部のうち２つ以上が前記各連結構造部へ連結するように構成されたことを特徴とする保定装置。
【請求項３】
フェイスマスクの保定装置であって、
フェイスマスクと、
ヘッドカバーとして構成されたフードと、
前記フードと一体となり、前記フェイスマスクに連結して当該フードと当該フェイスマスクとの間にシールを形成するように構成された装着バンドと、
前記フェイスマスク及び前記装着バンドに連結するように構成されたヘッドハーネスと、
前記フェイスマスクを前記装着バンドに連結するように構成された少なくとも１つのブラケットと
を有し、
前記ブラケットは、前記ヘッドハーネスに連結するように構成された連結構造部を含み、
前記装着バンドは、前記ヘッドハーネス及び前記ブラケットに連結するように構成された相隔たる複数の連結構造部を含み、
前記ヘッドハーネスは、前記フードの周囲に延在するように構成された複数のフランジと、当該各フランジに形成されるとともに前記装着バンドの連結構造部及び前記ブラケットの連結構造部に連結するように構成された複数の開口部とを含むことを特徴とする保定装置。
【請求項４】
ユーザの顔にマスクを保定するための装置であって、
少なくとも１つの装着バンドと、
前記装着バンドを受容して保定するように構成され、実質的に筒状の端部を備えたフードと、
前記装着バンドへ連結するように構成されるとともに前記フードに適合するように構成されたハーネスと、
前記装着バンドが前記フードに保定された場合に、前記ハーネスに係合するとともに前記マスクを前記装着バンドに連結するように構成された少なくとも１つのブラケットと
を含むことを特徴とする装置。
【請求項５】
前記装着バンドは、複数の装着用スタッドを装備したことを特徴とする請求項４に記載の装置。
【請求項６】
前記ブラケットは、前記装着用スタッドのうち少なくとも１つに係合するように構成されたことを特徴とする請求項５に記載の装置。
【請求項７】
前記フードの端部は、複数の開口部を備えたことを特徴とする請求項５に記載の装置。
【請求項８】
前記装着用スタッドは、前記開口部から延出するように構成されたことを特徴とする請求項７に記載の装置。
【請求項９】
前記開口部のうち少なくとも１つは、前記装着バンドを受容するように構成されたことを特徴とする請求項７に記載の装置。
【請求項１０】
マスクをユーザの顔に保定する装置であって、
少なくとも１つの装着バンドと、
前記装着バンドを受容して保定するように構成され、実質的に筒状の端部を備えたフードと、
前記装着バンドへ連結するように構成された複数のフランジを含み、前記フードに適合するように構成されたハーネスと、
前記装着バンドが前記フードにより保定された場合に、前記フランジのうち少なくとも１つに係合するとともに前記マスクを前記装着バンドに連結するように構成された少なくとも１つのブラケットと
を有することを特徴とする装置。
【請求項１１】
前記ブラケットは、少なくとも１つのハーネス装着用スタッドを備えたことを特徴とする請求項１０に記載の装置。
【請求項１２】
前記フランジは、複数の開口部を備えたことを特徴とする請求項１１に記載の装置。
【請求項１３】
前記ハーネス装着用スタッドは、前記開口部のうち少なくとも１つに係合するように構成されたことを特徴とする請求項１０に記載の装置。
【請求項１４】
マスクをユーザの顔に保定する装置であって、
複数の装着用スタッドを備えた第１のストラップと、
複数の装着用スタッドを備え、前記第１のストラップに固定されるように構成された第２のストラップと、
前記第１及び第２のストラップを受容して保定するように構成された実質的に筒状をなすものであって、かつ前記装着用スタッドが延出されるように構成された複数の開口部を備えた端部を有するフードと、
前記第１及び第２のストラップが前記フードの筒状の端部により保定された場合に、前記フランジに係合するとともに、前記マスクを前記装着用スタッドのうち少なくとも１つに連結するように構成された少なくとも１つのブラケットと
を有することを特徴とする装置。
【請求項１５】
前記フランジは、複数の開口部を備えたことを特徴とする請求項１４に記載の装置。
【請求項１６】
前記ブラケットは、少なくとも１つのハーネス装着用スタッドを備えたことを特徴とする請求項１５に記載の装置。
【請求項１７】
前記ハーネスは、前記フランジに形成された開口部のうち少なくとも１つに係合するように構成されたことを特徴とする請求項１６に記載の装置。
【国際調査報告】
2007533529.tif 000008